(57)【要約】  【課題】  スリットなしコルゲートチューブへの電線挿通の作業性を高める。  【解決手段】  コルゲートチューブ１０に挿通する各電線３１〜３３の径よりも広幅としたスリット１８を軸線方向の全長にわたって備えると共に、外径Ｄ１をコルゲートチューブ１０の内径Ｄ２よりも小とした円筒状のチューブからなる治具１５の内部に、前記スリット１８を通して電線３１〜３３を順次挿入した後、治具１５の先端開口部１６から電線群３０の先端の端子Ｔを突出させない状態で、コルゲートチューブ１０の後端開口部１２から挿入していき、コルゲートチューブ１０の先端開口部１１に治具１５の先端が位置した時に挿入を停止し、治具１５内の電線群３０を引き出して保持し、この状態で治具１５をコルゲートチューブ１０の後端開口部１２または先端開口部１１から引き抜き、電線群３０をコルゲートチューブ１０内に残した状態で治具１５を電線群３０から取り外す。  【選択図】  図２
2005341676.tif 000002
【特許請求の範囲】
【請求項１】
軸線方向のスリットを有しないコルゲートチューブへの治具を用いた電線挿通方法であって、
前記治具は、前記コルゲートチューブに挿通する各電線の径よりも広幅としたスリットを軸線方向の全長にわたって備えると共に、外径を前記コルゲートチューブの内径よりも小とした円筒状のチューブからなり、
前記治具のチューブ内に、その軸線方向と直交する側方から前記スリットを通して治具内に電線を順次挿入していき、全ての電線を前記治具に通した後、
前記治具の先端から前記電線端末を突出させない状態で、前記コルゲートチューブの一端開口から挿入していき、
前記コルゲートチューブの他端開口に前記治具の挿入側先端が位置した時に治具の挿入を停止し、該治具内の電線群端末を引き出して保持し、この状態で、治具をコルゲートチューブの挿入開口または他端開口から引き抜き、電線群をコルゲートチューブ内に残した状態で治具を電線群から取り外しているコルゲートチューブへの電線挿通方法。
【請求項２】
前記コルゲートチューブの長さ方向の中間部に電線引出穴があり、該電線引出穴からコルゲートチューブ内に挿通する電線群の一部を引き出すものであって、
前記治具のチューブは、その先端部分に前記スリットの幅を先端から広げた広幅スリット部を設けると共に、その先端面には、該広幅スリット部側に向けて湾曲あるいは傾斜させた引出ガイド壁を設け、
前記治具に電線群を通した後、該治具を前記コルゲートチューブの一端開口から挿通し、前記電線引出穴の位置で一旦停止し、前記引出ガイド壁によって方向規制された所要の電線を治具の広幅スリット部を通して前記電線引出穴から引き出し、その後、前記コルゲートチューブの他端開口まで治具を通し、残りの電線を前記コルゲートチューブの全長にわたって通している請求項1に記載のコルゲートチューブへの電線挿通方法。
【発明の詳細な説明】
【技術分野】
【０００１】
本発明は、コルゲートチューブへの電線挿通方法に関し、特に、スリットなしコルゲートチューブへの電線挿通の作業性を向上させるものに関する。
【背景技術】
【０００２】
コルゲートチューブは、ワイヤハーネスやリードワイヤーをエッジや干渉から保護するための外装保護材として用いられている。このコルゲートチューブとして、図６（Ｂ）に示すようなスリット入りコルゲートチューブ１が知られている。このスリット入りコルゲートチューブ１は、該コルゲートチューブ１の軸線方向全長にわたって拡開可能なスリット部２が設けられており、特に、電線群ｗが本線ｗ１から枝線ｗ２が分岐したものである場合に、該枝線ｗ２をスリット部２から引き出して、該分岐部を跨いで1本のコルゲートチューブ１で本線ｗ１を外装することができるため、作業性がよいことからも一般的に用いられている。
【０００３】
このようなスリット入りコルゲートチューブ1への電線群ｗの挿通方法に関して、例えば、特開２０００−２５３５３４号（特許文献１）では、図７（Ａ）に示すような治具５を用いた挿通方法が提案されている。この治具５は、特に、スリット部２の両側縁部２ａ、２ｂが互いに重なり合うオーバーラップコルゲートチューブ１Ａに好適に用いられるものである。
【０００４】
詳しくは、湾曲した底部５ａと、該底部５ａの両側の一対の側壁部５ｂ、５ｃからなる断面略Ｕ字形状よりなり、該底部５ａをコルゲートチューブ１Ａ内にスリット部２から落とし込んで、両側壁５ｂ、５ｃで両側スリット縁部２ａ、２ｂを拡開状態で保持させ、図７（Ｂ）に示すように、該底部５ａに電線群ｗを落とし込んだ後、電線群ｗを残しながら治具５を引き抜くと、コルゲートチューブ１Ａのスリット部２が閉鎖して内部に電線群ｗを挿通した状態となる。
なお、治具５の一方の側壁５ｂの後部には上端から切り欠き部５ｄを設け、スリット縁部２ａを支えない構成とすることによって、スリット縁部２ａがスリット縁部２ｂより常に下側（内側）に巻き付いてオーバーラップするようにしている。
【０００５】
しかしながら、前記コルゲートチューブ１Ａのようにスリップ部２を跨いでオーバーラップする構成でない通常のスリット入りコルゲートチューブ１は、スリット部２から電線束がはみ出さないように、図６（Ａ）に示すように、電線群ｗをテープｔ１にてピッチ止め又は粗巻きする必要がある。さらに、この電線群ｗを、図６（Ｂ）に示すようにコルゲートチューブ１内にスリット部２から入れて通した後、コルゲートチューブ１のズレ防止のために、図６（Ｃ）に示すように枝線ｗ２とコルゲートチューブ１とをテープｔ２で固定し、最後に、曲部に配索される場合などにスリット部２の口開きを防止するために、図６（Ｄ）に示すようにテープｔ３でコルゲートチューブ１の上からハーフテーピングまたは粗巻する必要があり、テープ処理が多くなる点に問題がある。また、コルゲートチューブ上のテーピングのしわ等によって、外観が損なわれる点にも問題がある。
【０００６】
一方、スリットなしコルゲートチューブを用いれば、前記のようなテープ処理による問題点は解消するが、電線群ｗを挿通するには、図８に示すように、スリットなしコルゲートチューブ３の一端開口３ａから電線群ｗを順次送り込んで挿通する必要があるため、スリットなしコルゲートチューブ３のコルゲートの内壁凹凸に電線群ｗの先端が突っかかりやすく、挿通作業性が悪いという問題があった。また、電線群ｗから前記枝線ｗ２が分岐している場合は、スリットなしコルゲートチューブ３の中間部に設けた電線引出穴から枝線ｗ２だけを引き出す必要があり、困難な作業となる。
【特許文献１】特開２０００−２５３５３４号公報
【発明の開示】
【発明が解決しようとする課題】
【０００７】
本発明は前記問題に鑑みてなされたもので、テープ処理が不要であり、かつ、電線挿通作業が容易なコルゲートチューブへの電線挿通方法の提供を課題としている。
【課題を解決するための手段】
【０００８】
前記課題を解決するために、本発明は、軸線方向のスリットを有しないコルゲートチューブへの治具を用いた電線挿通方法であって、前記治具は、前記コルゲートチューブに挿通する各電線の径よりも広幅としたスリットを軸線方向の全長にわたって備えると共に、外径を前記コルゲートチューブの内径よりも小とした円筒状のチューブからなり、前記治具のチューブ内に、その軸線方向と直交する側方から前記スリットを通して治具内に電線を順次挿入していき、全ての電線を前記治具に通した後、前記治具の先端から前記電線端末を突出させない状態で、前記コルゲートチューブの一端開口から挿入していき、前記コルゲートチューブの他端開口に前記治具の挿入側先端が位置した時に治具の挿入を停止し、該治具内の電線群端末を引き出して保持し、この状態で、治具をコルゲートチューブの挿入開口または他端開口から引き抜き、電線群をコルゲートチューブ内に残した状態で治具を電線群から取り外しているコルゲートチューブへの電線挿通方法の提供を課題としている。
【０００９】
前記方法によれば、電線の端末を治具内に収めた状態でコルゲートチューブ内に挿入できるため、該端末がコルゲートの凹凸に突っかかることを防止でき、スリットなしコルゲートチューブへの電線挿通作業をスムーズに行うことができる。
また、側方にスリットを設けた治具を用いることによって、スリットを通して電線を挿入できるため、該治具の一端開口部から各電線を順次挿入していく場合に比して挿入が容易であるうえ、電線本数が多い場合でも先に通した電線が殆ど障害となることなく挿入できる。さらに、治具の取り外しに際しては、コルゲートチューブから治具を引き出した位置で該スリットから電線を取り出すことによって、簡単に治具を取り外すことができる。
【００１０】
また、スリットなしコルゲートチューブを用いることによって、従来のスリット入りコルゲートチューブの場合に必要であった、電線群へのテープ巻きや、スリットの口開き防止のテープ巻きなどの各種テープ巻き処理が不要となるため、テープ材料費およびテープ巻工数を削減でき、かつ、しわ等のない製品を提供することができる。
【００１１】
前記コルゲートチューブの長さ方向の中間部に電線引出穴があり、該電線引出穴からコルゲートチューブ内に挿通する電線群の一部を引き出すものであって、前記治具のチューブは、その先端部分に前記スリットの幅を先端から広げた広幅スリット部を設けると共に、その先端面には、該広幅スリット部側に向けて湾曲あるいは傾斜させた引出ガイド壁を設け、前記治具に電線群を通した後、該治具を前記コルゲートチューブの一端開口から挿通し、前記電線引出穴の位置で一旦停止し、前記引出ガイド壁によって方向規制された所要の電線を治具の広幅スリット部を通して前記電線引出穴から引き出し、その後、前記コルゲートチューブの他端開口まで治具を通し、残りの電線を前記コルゲートチューブの全長にわたって通してもよい。
【００１２】
この挿通方法によれば、本線から枝線が分岐している電線群であっても、その枝線を前記電線引出穴から容易に導出できるうえ、この分岐部を跨いで本線を1本のスリットなしコルゲートチューブで外装することができる。従って、この場合も、従来のスリット入りコルゲートチューブの場合のようなテープ処理等が不要となるため、コストを低減できると共に作業性が向上し、かつ、外観の良い製品を提供することができる。
【発明の効果】
【００１３】
上述したように、本発明の方法によれば、スリットなしコルゲートチューブへの電線挿通作業が容易となるうえ、テープ巻き処理が不要となるため、作業性が大幅に向上し、テープ材料費も削減することができる。また、コルゲートチューブの上をテープ巻きしないことにより、皴等が発生していない製品を提供することができる。
【発明を実施するための最良の形態】
【００１４】
以下、本発明の実施形態を図面を参照して説明する。
図１および図２は本発明の第一実施形態に係るコルゲートチューブへの電線挿通方法を示し、軸線方向のスリットを有しないコルゲートチューブ１０に、両端開口の治具１５を用いて電線群３０の各電線３１、３２、３３を挿通している。
【００１５】
前記治具１５は、図１に示すように、両端に開口部１６、１７を有する円筒状のチューブからなり、その軸線方向の全長にわたってスリット１８を形成している。この治具１５の外径Ｄ１は、コルゲートチューブ１０の内径Ｄ２よりも小寸としている。また、スリット１８の幅Ｗ１は、前記各電線３１、３２、３３のいずれの径よりも大寸となる範囲で出来るだけ細幅に形成している。
【００１６】
前記治具１５を用いてコルゲートチューブ１０に電線群３０を挿通する手順は、まず、図２（Ａ）に示すように、治具１５内に、その軸線方向と直交する側方からスリット１８を通して各電線３１、３２、３３を順次挿入する。
全電線３１〜３３を治具１５に通した後、図２（Ｂ）に示すように、電線群３０の先端に接続された各端子Ｔを治具１５の先端開口部１６から突出させないように内部に引き込んだ状態で、該治具１５をコルゲートチューブ１０の後端開口部１２から挿入していく。  次に、図２（Ｃ）に示すように、コルゲートチューブ１０の先端開口部１１から治具１５の先端を突出させ、該治具１５内の電線群３０の端子Ｔを引き出して保持した状態で治具１５のみ引き戻し、図２（Ｄ）に示すように、コルゲートチューブ１０の後端開口部１２から該治具１５を引き出し、スリット１８から電線群３０を取り出して治具１５を取り外す。
【００１７】
前記挿通方法によれば、図２（Ｂ）に示すように、電線群３０の先端の端子Ｔは前記治具１５内に収められているため、該端子Ｔがコルゲートチューブ１０の内壁の凹凸に突っかかることを防止できる。また、該治具１５はコルゲートチューブ１０と同様の円筒状のチューブであるため、コルゲートチューブ１０内をスムーズに滑り動くことができる。従って、コルゲートチューブ１０の後端開口部１２から先端開口部１１まで電線群３０をスムーズに挿入していくことができるため、この治具１５を用いない場合に比して挿通作業性が向上する。また、スリット１８を備えた治具１５を用いることにより、図２（Ａ）に示すように、各電線３１〜３３を該スリット１８を通して側方から挿入できるため、一端開口部１６（１７）から挿入する場合に比して容易であるうえ、コルゲートチューブ１０に電線群３０を挿通した後の治具１５の取り外しも、図２（Ｄ）に示すように該スリット１８を通して容易かつ手早く行うことができる。
【００１８】
また、コルゲートチューブ１０はスリットなしタイプであるため、コルゲートチューブ１０から電線がはみ出す心配もなく、各電線３１〜３３を束ねるためのテープ巻きや、スリット口開き防止のテープ巻きなどが不要となり、この点においても作業性が向上する。さらに、テープ巻きが不要となることによって、テープ材料費を削減できるうえ、外観の良い製品を提供することができる。
【００１９】
図３乃至図５は、本発明の第二実施形態にかかるコルゲートチューブへの電線挿通方法を示す。
治具２０を用いて、多数本の電線からなる電線群３０’を１本のコルゲートチューブ１０’に挿通すると共に所要の電線３１〜３３を引き出して分岐させている。その他の点では前記第一実施形態と同一であるため、同一符号を付して説明を省略する。
【００２０】
前記コルゲートチューブ１０’はスリットを備えていないが、図４に示すように、長さ方向の中間部に分岐電線引出穴１３’を設けている。
【００２１】
前記治具２０は、図３に示すように、後端に開口部２１を有し、先端に引出ガイド壁２５を有する円筒状のチューブからなり、その軸線方向の全長にわたってスリット２２を形成している。この治具２０の外径Ｄ３は、コルゲートチューブ１０’の内径Ｄ２’よりも小寸としている。
スリット２２は、長さ方向の先端から所要長さＬの広幅スリット部２３とし、該広幅スリット部２３に連続して後端までを細幅スリット部２４としている。広幅スリット部２３の幅Ｗ２と長さＬは、電線群３０’の端子Ｔ’の部分の外径よりも大寸とし、細幅スリット部２４の幅Ｗ３は、電線群３０’を構成する各電線のいずれの径よりも大寸となる範囲で出来るだけ細幅に形成している。
前記引出ガイド壁２５は、前記広幅スリット部２３側に向けて傾斜して治具２０の先端面を閉鎖するように形成している。
【００２２】
前記治具２０を用いて電線群３０’をコルゲートチューブ１０’に挿通する手順は、まず、スリット２２から電線群３０’の各電線とその先端に接続した端子Ｔ’とを治具２０内に順次挿入した後、該治具２０をコルゲートチューブ１０’の後端開口部１２’から挿入し、図５（Ａ）に示すように、コルゲートチューブ１０’の分岐電線引出穴１３’の位置まで挿入した時点で挿入を一端停止し、治具２０の広幅スリット部２３と前記電線引出穴１３’との位置を合わせ、この状態で電線群３０’をさらに送り込むと、前記引出ガイド壁２５の傾斜に沿って電線群３０’の先端が広幅スリット部２３を通じて電線引出穴１３’から外方に突出する。
【００２３】
次に、図５（Ｂ）に示すように、突出した電線群３０’のうち分岐すべき所要電線３１〜３３のみを保持し、他の電線３４を治具２０内に引き戻し、図５（Ｃ）に示すように、電線３１、３２、３３のコルゲートチューブ１０’から出ている前後を持って、該電線３１、３２、３３のみを治具２０の細幅スリット部２４を通じて1本ずつ治具２０から取り外す。
【００２４】
次いで、図５（Ｄ）に示すように、該治具２０をコルゲートチューブ１０’の先端開口部１１’まで挿通して、残りの電線３４をコルゲートチューブ１０’の全長にわたって挿通した後、治具２０を先端開口部１１’から抜き出して取り外す。
【００２５】
本実施形態の方法によれば、分岐部を有する電線群３０’であっても、分岐線３１〜３３をコルゲートチューブ１０’の電線引出穴１３’から容易に引き出すことができるうえ、図４に示すように、残りの電線３４を一本のスリットなしコルゲートチューブ１０’で外装することができる。従って、テープ巻き処理が不要となり、作業性も向上し、かつ機能美も高めることができる。
【００２６】
なお、本発明は前記実施形態に限定するものではない。特に、引出ガイド壁２５は、前記のように広幅スリット部２３側に傾斜した平面状に形成する場合のほか、広幅スリット部２３に向かって湾曲させた曲面状に形成してもよい。
【図面の簡単な説明】
【００２７】
【図１】本発明の第一実施形態に係る治具を示す斜視図である。
【図２】（Ａ）〜（Ｄ）は、図１に示す治具を用いて電線群をコルゲートチューブに挿通する作業手順を示す図である。
【図３】本発明の第二実施形態に係る治具を示す斜視図である。
【図４】図３に示す治具を用いてコルゲートチューブに電線群を挿通した状態を示す図である。
【図５】（Ａ）〜（Ｄ）は、図３に示す治具を用いて電線群をコルゲートチューブに挿通する作業手順を示す図である。
【図６】従来例の図である。
【図７】他の従来例の図である。
【図８】他の従来例の図である。
【符号の説明】
【００２８】
１０、１０’  コルゲートチューブ
１３’  電線引出穴
１５、２０  治具
１８、２２  スリット
２３  広幅スリット部
２４  細幅スリット部
２５  引出ガイド壁
３０、３０’  電線群
【図１】
2005341676.tif 000003
【図２】
2005341676.tif 000004
【図３】
2005341676.tif 000005
【図４】
2005341676.tif 000006
【図５】
2005341676.tif 000007
【図６】
2005341676.tif 000008
【図７】
2005341676.tif 000009
【図８】
2005341676.tif 000010